(57)【要約】      （修正有）【課題】  ２回以上再使用ができると共に、再使用することに対する使用者の意図等が解るように工夫し、さらに、セキュリティ性を高めた封緘用フラップ付包装体を提供する。【解決手段】  封緘用フラップ４の内面に、このフラップ４の先端４ａ側から順に剥離紙７−１〜７−３を表面に貼り合わせた感圧粘着剤層６−１〜６−３と、この粘着剤層６−１〜６−３の内側に設けられた易開封テープ８−１〜８−３とから成る封緘装置５−１〜５−３を複数設けておく。この結果、フラップ４の先端４ａ側の封緘装置５−１から使用することにより、封筒１の２回以上の再使用を可能にする。更に、必要に応じて補助封緘用感圧粘着剤層を設けておくことにより、フラップ４の開口を狭く形成する。【選択図】        図１
2005082185.tif 000002
【特許請求の範囲】
【請求項１】
封緘用フラップの内面に、このフラップの先端側から順に剥離紙を表面に貼り合わせた感圧粘着剤層と、この粘着剤層の内側に設けられた易開封手段とから成る封緘装置を複数段に分けて形成したことを特徴とする封緘用フラップ付包装体。
【請求項２】
請求項１に記載のフラップにおいて、内面に封緘装置が設けてある部位の表面であって、フラップの最先端側に位置する易開封手段の部位には、１回目はここから開封して下さい、の文字を表示し、次の部位には、２回目はここから開封して下さい、の文字を表示し、次の部位には、３回目はここから開封して下さい、の文字を表示し、更にフラップの内側であって、最先端側に位置する感圧粘着剤層の剥離紙の表面には、１回目はこの紙を剥がして貼って下さい、の文字を表示し、更に次の剥離紙の表面には、２回目はこの紙を剥がして貼って下さい、の文字を表示し、更に次の剥離紙の表面には、３回目はこの紙を剥がして貼って下さい、の文字を表示して成る封緘用フラップ付包装体。
【請求項３】
請求項１に記載の包装体において、その表面の一部には、再使用可能な包装体であること、及び再使用された包装体であって、省資源、環境に心を配っていること、等の意を表す文字あるいは図形あるいは記号が表示されていることを特徴とする封緘用フラップ付包装体。
【請求項４】
請求項１に記載の包装体の宛先欄には、宛先及び差出人シートを重ね貼りするためのスペースが設けられていることを特徴とする封緘用フラップ付包装体。
【請求項５】
請求項１に記載の包装体において、封緘装置の各段の間であって、フラップの両サイドに接近した位置には、剥離紙を表面に貼り合わせた補助封緘用感圧粘着剤層が形成されていることを特徴とする封緘用フラップ付包装体。
【発明の詳細な説明】
【技術分野】
【０００１】
本発明は、郵便用あるいは宅配用封筒に代表される封緘用フラップ付包装体に関するものである。
【背景技術】
【０００２】
一般的な封緘用フラップ付封筒の場合、封筒の封緘は、フラップを糊付けするか、フラップにあらかじめ取り付けられた感圧粘着剤等で行い、開封は、フラップに取り付けられた易開封手段を用いるか、カッターあるいは鋏を用いている。
このため、１回使用すると、再使用することができないため、その都度廃棄されてしまい、省資源、環境保全の立場から好ましくない。
また、厚紙を使用したり、上質紙を使用した封筒の場合には、価格も高いことから、１回限りで廃棄するのはもったいない。
このような観点から、再使用を可能にした封筒の提案がある。
【特許文献１】特開２０００−３１３４４９号公報  この発明は、再封して再使用可能にした易開封性封筒を提供するために、書類などを収納する紙製の封筒で、矩形の表パネル１と、その一端１ａに連接され、該一端に直交する方向の長さが表パネルより短い裏パネル２と、その左右端にそれぞれ連接された左右の糊代パネル３，４と、表パネルの他端１ｄに連接された蓋パネル５とからなり、蓋パネルに、先端側に左右方向に延びる貼着部８を設けると共に、貼着部より内側の非貼着部９に左右方向に延びる引き裂き用ミシン目７を形成し、蓋パネル５の貼着部８を裏パネルの端部２ａ外面に貼着して封をし、開封時に蓋パネルを引裂き用ミシン目７に沿って引き裂くと、貼着部８と非貼着部９が分離されて開封される易開封性封筒であって、蓋パネル５の引裂き用ミシン目７が、前記封をした状態で裏パネル２上に位置するように設けられている。使用後に、再封のために非貼着部９の端部と裏パネル２の外面にくっついて残っている貼着部８の端部とに跨ってテープなどを貼ったとき、このテープに内部の書類が接着したりしないように構成した内容である。  しかし、この発明は、再使用は可能であるが、再々使用は不可能であると共に使用法の説明がないことと、再使用を可能にした封筒を使用することの意義等が表現されていないために、再使用を行った使用者の意図、省資源や環境保全に対するとりくみ等の姿勢に対する社会的な評価が正しくされ難いと云う側面がある。
【特許文献２】特開２００１−１２２２８７号公報  この発明は、使用済みの封筒を再度発信に利用し得るようにし、とくに、再利用時の封緘作業の容易化と郵送中の他の書類との接触を抑制し得るようにするために、本体部１０−１とフラップ１１とを備えた封筒１の底部１２を共用して返信用封筒部２を本体部１０−１内に形成し、返信用封筒部２に、返信用本体部２０と、切り取り線１７と折り目１６，２５とにより画成するフラップ部１８とを設け、フラップ部１８を折り畳んだときこれと接する返信用封筒部２の裏部２０ｂ表面に接着剤を塗布し、接着剤を覆って剥離紙３１を貼付することにより返信用封筒部２を構成したものである。  しかし、この発明においても、上記特許文献１において指摘した問題点がある。
【特許文献３】実用新案登録第３０５６４８３号公報  この考案は、書類収納や郵送などに使用する封筒の封舌片端部に、差し出し名を表示する切り取り可能な表示舌片を突設することで、一つの封筒を２回以上に渡り再利用して使える書類用の封筒及び袋体を提供に関するもので、封筒（１）は、書類などを収納してお客様に渡したり、また書類を郵送するために使用される定型外の業務用封筒であって、まず封筒（１）の書類出し入れ部となる開口部に設けて折り返される封舌片（２）の端部に、企業名や住所、電話等の差し出し表示（３）印刷ができる十分な大きさを成す表示舌片（４）を、前記の封舌片（２）端部より一定幅に延長して一体形成し、かつ表示舌片（４）は必要な時に切り離せるように切取りミシン目（５）を、表示舌片（４）と封舌片（２）の間に施したものである。  しかし、この考案においても、上記特許文献１において指摘した問題点がある。
【特許文献４】特開２００３−１６０１４８号公報  この発明は、内容物を包装した包装体において、一旦開封したものを内容物の残存状態で簡単に閉封して容器として使用でき、かつ、内容物の使用時は簡単に開封することができる再閉封可能な易開封包装体および包装体の再閉封・易開封方法に関するもので、プラスチックフィルム製の第一部材１と第二部材２とにより製袋された包装体Ａにあって、第一部材の一側部において、幅方向へ帯状に接合して該第一部材の外面へ張り出す引きちぎり体７を形成し、該引きちぎり体を挟んでその両側において第一部材の外側面に、引きちぎり体の一方側に凹条体１０を突設し、引きちぎり体の他方側に凹条体と係合する凸条体１１を突設したものである。  しかし、この発明においても、上記特許文献１において指摘した問題点がある。
【発明の開示】
【発明が解決しようとする課題】
【０００３】
本発明の目的は、２回以上再使用することができると共に、再使用することに対する使用者の意図等が解るように工夫した封緘用フラップ付包装体を提供することである。
【課題を解決するための手段】
【０００４】
上記目的を達成するため、請求項１に記載の発明においては、封緘用フラップ付包装体において、封緘用フラップの内面に、このフラップの先端側から順に剥離紙を表面に貼り合わせた感圧粘着剤層と、この粘着剤層の内側に設けられた易開封手段とから成る封緘装置を複数段に分けて形成したことを特徴とするものである。
この発明によると、フラップの先端側の封緘装置から、順番に使用することにより、再使用、再々使用、再々々使用等を行うことができる。
【０００５】
更に、請求項２に記載の発明においては、請求項１に記載の封緘用フラップ付包装体において、内面に封緘装置が設けてある部位の表面であって、フラップの最先端側に位置する易開封手段の部位には、１回目はここから開封して下さい、の文字を表示し、次の部位には、２回目はここから開封して下さい、の文字を表示し、次の部位には、３回目はここから開封して下さい、の文字を表示し、更にフラップの内側であって、最先端側に位置する感圧粘着剤層の剥離紙の表面には、１回目はこの紙を剥がして貼って下さい、の文字を表示し、更に次の剥離紙の表面には、２回目はこの紙を剥がして貼って下さい、の文字を表示し、更に次の剥離紙の表面には、３回目はこの紙を剥がして貼って下さい、の文字を表示して成ることを特徴とするものである。
この発明によると、再利用の仕方が何人にも良く判り、手順に間違いがなくなる。
【０００６】
更に、請求項３に記載の発明においては、請求項１に記載の包装体において、その表面の一部には、再使用可能な包装体であること、及び再使用された包装体であって、省資源、環境に心を配っていること、等の意を表す文字あるいは図形あるいは記号が表示されていることを特徴とするものである。
この発明によると、再利用者の再使用の意図が判り、再使用に抵抗感がなくなる。
【０００７】
更に、請求項４に記載の発明においては、請求項１に記載の包装体の宛先欄には、宛先及び差出人シートを重ね貼りするためのスペースが設けられていることを特徴とするものである。
この発明によると、宛先欄についても再使用ができる。
【０００８】
更に、請求項５に記載の発明においては、請求項１に記載の包装体において、封緘装置の各段の間であって、フラップの両サイドに接近した位置には、剥離紙を表面に貼り合わせた補助封緘用感圧粘着剤層が形成されていることを特徴とするものである。
この発明によると、フラップの両サイドに沿った封緘幅が大きくなるため、フラップの開口がその分小さくなり、内部の収納物を外から覗き見たりできないと共に、外に一部出たりすることがなくなり、セキュリティ性が高まる。
【発明の効果】
【０００９】
包装体を最初に封緘する場合には、フラップの一番先端側の剥離紙を剥がし、ここの感圧粘着剤層でフラップを包装体の一部に貼り付ける。併せて、補助感圧粘着剤層がある場合には、この補助感圧粘着剤層の剥離紙を剥がし、貼り付ける。そして、開封を行う場合には、最初の易開封手段のところでフラップの先端側をカットする。
再使用の際は、２番目の剥離紙を剥がして１番目と同じようにして封緘を行い、開封は２番目の易開封手段を用いてカットする。
以下、同じようにして封緘、開封を行いながら、包装体の再使用を続ける。
よって、本発明によると、次の効果がある。
１．請求項１〜４に記載の発明によると、封緘用の粘着剤層と易開封手段がワン  セットになって多段に設けられているため、この多段分、包装体を再使用する  ことができ、無駄がなく、経済的であると共に省資源に寄与できる。
２．請求項１〜４に記載の発明によると、１回限りで使用を終った場合、廃棄物  処理量が増大し、処分に手間と費用がかかるが、再使用により、このような問  題を解消できる。
３．請求項３に記載の発明によると、包装体には、再使用の意義、使用等の意図  等が表示されているため、使用者の再使用の意図が正しく理解されて、使用者  の社会的な評価を高めることができる。
４．請求項５に記載の発明によると、補助封緘用感圧粘着剤層が形成されている  ため、この粘着剤層を順番に利用することにより、特に１回目及び２回目の封  緘時において、フラップの両端の開口を可及的に小さくして、セキュリティ性  を高めることができる。
【発明を実施するための最良の形態】
【００１０】
本発明において、フラップの内側に複数段に形成される感圧粘着剤層と易開封手段の段数は、フラップの大きさ、包装体の耐久性等を考慮して設定される。
本発明は、内容物を収納したり、とり出したりする口を封緘する手段として、フラップが用いられている包装体に適用することができる。このような包装体の代表的な例としては、厚紙で成形された封筒がある。更に、この封筒は、ミシン目、切り込み、カットテープ等を用いた易開封手段付のものが前提である。
封筒内には、信書、書籍、見本、商品等が収納され、郵便又は民間の宅配業者等が送り届ける形態が主であるが、個人あるいは社内で使用する封筒等も本発明の対象となる。
またフラップで封緘する包装体には、厚紙で製函したケース、あるいはダンボール函等も包含される。
【実施例１】
【００１１】
以下に、請求項１〜４に記載した本発明の実施例を図１〜図５に基づいて詳細に説明する。これらの各図において、符号の１は封筒、２はこの封筒１の収納部、３は収納口、４は収納口３を封緘するためのフラップである。
５−１、５−２、５−３は封緘手段であって、この封緘手段５−１〜５−３は、フラップ４の先端４ａ側から感圧粘着剤層６−１、６−２、６−３と、この粘着剤層６−１〜６−３の表面に貼り付けられた剥離紙７−１〜７−３と、粘着剤層６−１〜６−３から少し内側に離れた位置に設けられた易開封テープ８−１〜８−３とで構成されている。なお、封緘手段５−１〜５−３において、剥離紙７−１の表面には、「最初に剥がして使用して下さい」の文字が、７−２には「再使用時に剥がして使用して下さい」の文字が、７−３には「再々使用時に剥がして使用して下さい」の文字が印刷され（図１参照）、フラップ４の表面であって、易開封テープ８−１〜８−３が裏に位置する部位であって、８−１の部位には「１回目はここから開封して下さい」の文字が、８−２の部位には「２回目はここから開封して下さい」の文字が、８−３の部位には「３回目はここから開封して下さい」の文字が印刷されている（図２参照）。
また、封筒１の表面には、宛名貼付欄９が設けてあると共に「この封筒は省資源、環境に配慮して再使用できるように考えられています」等の趣旨の文字１０が印刷されている。
なお、上記した各文字表記の表現方法は、上記した実施例に限定されるものではなく、個々に工夫しても良い。
図５は、１回目の使用を終り、２回目（再使用）の使用形態を示す封筒１の外観であって、フラップ４は、１回目の易開封テープ８−１でカットされており、２段目の感圧粘着剤層６−２の使用により封緘が行われている。
【実施例２】
【００１２】
本実施例２は、セキュリティ性を高めるために、フラップ４の両サイドに補助的に封緘するための補助封緘用感圧粘着剤層１２、１３を形成したもので、請求項５に記載の発明に対応している。図６（Ａ）（Ｂ）は、２回目に使用する感圧粘着剤層６−２と同列に、補助封緘用感圧粘着剤層１２を設けておき、この補助封緘用感圧粘着剤層１２は、１回目の粘着剤層６−１を貼着するときに、この補助封緘用感圧粘着剤層１２も同時に貼り付けておくものである。同じように、２回目の粘着剤層６−２を貼り付けるときには、補助封緘用感圧補助粘着剤層１３を同時に貼り付けておく。この結果、フラップ４の両サイドに沿って、封緘（密封）の幅が大きくなり、この分フラップ４の両サイドにおける開口を小さくしてセキュリティ性を高めることができる。図７（Ａ）は、１回目の封緘を易開封テープ８−１で開封し、フラップ４を上方に開放した状態を示すもので、補助封緘用感圧粘着剤層１２は、封筒１側にミシン目１２ａでカットされて貼り付いたまま残っている。（Ｂ）は、２回目の封緘を行った状態を示すものである。
【実施例３】
【００１３】
図８（Ａ）（Ｂ）は、図６と同様の趣旨で補助封緘用感圧粘着剤層１２、１３を形成した実施例を示すもので、図６（Ａ）（Ｂ）との相違点は、易開封テープではなく、カット帯１４−１〜１４−３でフラップ４をカットするように形成したもので、このカット帯１４−２〜１４−３は、補助封緘用感圧粘着剤層１２、１３のところにおいて上方に逃げてフラップ４の両サイドの端縁に至っている。
上記実施例２、３を示す図６、図８において、ミシン目１２ａ、１３ａの作用を更に詳しく説明すると、補助封緘用感圧粘着剤層１２、１３をコ字状に取り囲んでおり、一段目の易開封テープ８−１又はカット帯１４−１でフラップ４を開封したときに、このミシン目１２ａで補助封緘用感圧粘着剤層１２の部分のフラップ４を切り抜き、補助封緘用感圧粘着剤層１２を封筒１側に貼り付けたまま残し、フラップ４の全開封を阻害しないようにしている。例えば、図７（Ａ）は１回目の開封を行ってフラップ４を上方に開いた状態であって、補助封緘用感圧粘着剤層１２は封筒１側に貼り付いたまま残り、フラップ４側には切り欠き１２ｂが形成される。（Ｂ）は２回目の封緘を行った状態を示し、この時は粘着剤層６−２と補助封緘用感圧粘着剤層１３が貼り付けられていて、補助封緘用感圧粘着剤層１２は切り欠き１２ｂの部分に露出している。２回目の開封及び３回目の封緘時には、同じように補助封緘用感圧粘着剤層１３が貼り付けられたり、ミシン目１３ａでカットされる。
【産業上の利用可能性】
【００１４】
本発明に係る包装体は、次の分野において利用可能である。
１．郵便物を入れる封筒
２．宅配業者が使用する封筒
３．紙製のケース
４．ダンボール函
【図面の簡単な説明】
【００１５】
【図１】本発明に係る封筒において、フラップを開いた状態の背面図
【図２】本発明に係る封筒において、フラップを開いた状態の正面図
【図３】フラップを閉じて最初に封緘した封筒の説明
【図４】フラップを閉じかけた封筒の断面図
【図５】２回目に使用している封筒の説明図
【図６】（Ａ）（Ｂ）は、実施例２の説明図。
【図７】（Ａ）（Ｂ）は補助封緘用感圧粘着剤層の作用の説明図。
【図８】（Ａ）（Ｂ）は、実施例３の説明図。
【符号の説明】
【００１６】
１  封筒
２  収納部
３  収納口
４  フラップ
５−１〜５−３  封緘手段
６−１〜６−３  粘着剤層
７−１〜７−３  剥離紙
８−１〜８−３  易開封テープ
９  宛名貼付欄
１０  文字
１２、１３  補助封緘用感圧粘着剤層
１４−１〜１４−３  カット帯
【図１】
2005082185.tif 000003
【図２】
2005082185.tif 000004
【図３】
2005082185.tif 000005
【図４】
2005082185.tif 000006
【図５】
2005082185.tif 000007
【図６】
2005082185.tif 000008
【図７】
2005082185.tif 000009
【図８】
2005082185.tif 000010